(57)【要約】方法および装置が、表示面における変動の検出に応じて、レーザー投影ディスプレイ（ＬＰＤ）のパワーを制御可能に低減するために提供される。ＬＰＤの操作中に、コントローラ（１４２）は、上記表示面から反射されているレーザー光をモニターする。このコントローラ（１４２）は、上記ＬＰＤの配送するために指示されているパワー量を「知っている」ので、異物が上記レーザー光の経路中にあり得、そしてそれ故に、上記レーザー光の振幅に影響するかどうかを判断するために、上記既知のパワーと上記反射されたレーザー光とを比較し得る。上記コントローラ（１４２）は、レーザーに対するパワーを低減することによってこのような事象の検出に対処する。
2007517469.tif 000002
【特許請求の範囲】
【請求項１】
レーザーを制御する方法であって、該方法は、
表示面上にレーザー光を投影する工程；
該表示面から反射されたレーザー光をモニターする工程；および
該反射されたレーザー光に基づいて該レーザーによって送達されるパワーを制御する工程
を包含する、方法。
【発明の詳細な説明】
【技術分野】
【０００１】
（１．発明の分野）
本発明は、一般に、電子ディスプレイに関し、そして、より具体的には、表示面に対する変化を検出し、そして、レーザーによって送達されるパワーを低減するレーザー投影ディスプレイに関する。
【背景技術】
【０００２】
（２．関連技術の説明）
レーザー投影デバイスにおいて、１つ以上のレーザーは、代表的には、スクリーンまたは他の平坦な表示面上にディスプレイを投影するように適合される。通常の周辺光の状態で見るために十分な輝度を有するディスプレイを生成するために、レーザーは、事前に選択された最低限のパワーレベルを少なくとも提供し得なければならない。しかしながら、いくつかの適用において、表示面とレーザーとの間の空間は、比較的開いていてもよく、そしてそれ故に、物体または人々はこの間を通過し得、この物体および／またはこれらのヒトがレーザー光に触れてしまうことになる。このような状況において、ＦＤＡの規定（例えば、ＣＤＲＨおよび／またはＩＥＣ）は、レーザーが配送し得るパワー量を、制限することを適用した。しかしながら、この制限されたパワーレベルは、一般に、十分に明るいディスプレイを生成するためには不十分である。
【発明の開示】
【発明が解決しようとする課題】
【０００３】
本発明は、上述の１つ以上の問題の影響を克服するか、少なくとも低減させることに関する。
【課題を解決するための手段】
【０００４】
（発明の要旨）
本発明の一局面において、方法がレーザーを制御するために提供される。この方法は、表示面上にレーザー光を投影する工程、およびこの表示面から反射されたレーザー光をモニターする工程を包含する。このレーザーによって送達されたパワーは、反射されたレーザー光に基づいて制御される。
【０００５】
本発明は、添付の図面と組み合わせて含まれる以下の説明への言及によって理解され得、このことにおいて、参照番号同等物が要素同等物を同定する。
【０００６】
本発明は、種々の改変形態および代替形態に影響されやすいが、それらの特定の実施形態は、図面中の例を通して示されており、そして、本明細書中に詳細に記載される。しかしながら、特定の実施形態の本明細書中の説明が、開示された特定の形態に対して本発明を限定することは意図されないが、一方で、本発明は、添付の特許請求の範囲によって規定されたような本発明の精神および範囲内にある全ての変更、同等物、および代替物を網羅することを理解されるべきである。
【発明を実施するための最良の形態】
【０００７】
（特定の実施形態の詳細な説明）
本発明の例示的な実施形態が、以下に記載される。明確にするために、すべての実際の実施の特徴が、本明細書中に記載されるとは限らない。当然、任意のこのような実施の実施形態の開発において、開発者の明確な目標（例えば、システム関連の制約およびビジネス関連の制約の遵守）を達成するために、実施ごとに異なる多くの実施特異的な判断がなされなければならないことが理解される。さらに、このような開発努力は、複雑であり得かつ時間がかかり得るが、本開示の利益を有する当業者にとっては、依然として日常的な課題（ｒｏｕｔｉｎｅ  ｕｎｄｅｒｔａｋｉｎｇ）である。
【０００８】
以下の同時係属出願が、これらによって、それらの全体において本明細書中で参考として援用され得る：（Ｍｉｋ  Ｓｔｅｒｎら、Ｍｅｔｈｏｄ  ａｎｄ  Ａｐｐａｒａｔｕｓ  ｆｏｒ  Ａｌｉｇｎｉｎｇ  ａ  Ｐｌｕｒａｌｉｔｙ  ｏｆ  Ｌａｓｅｒｓ  ｉｎ  ａｎ  Ｅｌｅｃｔｒｏｎｉｃ  Ｄｉｓｐｌａｙ  Ｄｅｖｉｃｅ；Ｎａｒａｙａｎ  Ｎａｍｂｕｄｉｒｉら、Ｍｅｔｈｏｄ  ａｎｄ  Ａｐｐａｒａｔｕｓ  ｆｏｒ  Ｄｉｓｐｌａｙｉｎｇ  Ｉｎｆｏｒｍａｔｉｏｎ  ｉｎ  Ａｕｔｏｍｏｔｉｖｅ  Ａｐｐｌｉｃａｔｉｏｎｓ  Ｕｓｉｎｇ  ａ  Ｌａｓｅｒ  Ｐｒｏｊｅｃｔｉｏｎ  Ｄｉｓｐｌａｙ；Ｎａｒａｙａｎ  Ｎａｍｂｕｄｉｒｉら、Ｍｅｔｈｏｄ  ａｎｄ  Ａｐｐａｒａｔｕｓ  ｆｏｒ  Ｐｒｏｖｉｄｉｎｇ  ａｎ  Ｉｎｔｅｒｆａｃｅ  Ｂｅｔｗｅｅｎ  ａ  Ｌｉｑｕｉｄ  Ｃｒｙｓｔａｌ  Ｄｉｓｐｌａｙ  Ｃｏｎｔｒｏｌｌｅｒ  ａｎｄ  ａ  Ｌａｓｅｒ  Ｐｒｏｊｅｃｔｉｏｎ  Ｄｉｓｐｌａｙ；Ｐａｕｌ  Ｄｖｏｒｋｉｓら、Ａ  Ｃｏｌｏｒ  Ｌａｓｅｒ  Ｐｒｏｊｅｃｔｉｏｎ  Ｄｉｓｐｌａｙ；Ｃｈｉｎｈ  Ｔａｎら、Ｍｅｔｈｏｄ  ａｎｄ  Ａｐｐａｒａｔｕｓ  ｆｏｒ  Ｃａｐｔｕｒｉｎｇ  Ｉｍａｇｅｓ  Ｕｓｉｎｇ  Ａ  Ｃｏｌｏｒ  Ｌａｓｅｒ  Ｐｒｏｊｅｃｔｉｏｎ  Ｄｉｓｐｌａｙ；Ｆｒｅｄ  Ｗｏｏｄら、Ｍｅｔｈｏｄ  ａｎｄ  Ａｐｐａｒａｔｕｓ  ｆｏｒ  Ｃｏｎｓｅｒｖｉｎｇ  Ｐｏｗｅｒ  ｉｎ  ａ  Ｌａｓｅｒ  Ｐｒｏｊｅｃｔｉｏｎ  Ｄｉｓｐｌａｙ；Ｒｏｎ  Ｇｏｌｄｍａｎら、Ａ  Ｌａｓｅｒ  Ｐｒｏｊｅｃｔｉｏｎ  Ｄｉｓｐｌａｙ；Ｃａｒｌ  Ｗｉｔｔｅｎｂｅｒｇら、Ｍｅｔｈｏｄ  ａｎｄ  Ａｐｐａｒａｔｕｓ  ｆｏｒ  Ｃｏｎｔｒｏｌｌａｂｌｙ  Ｃｏｍｐｅｎｓａｔｉｎｇ  ｆｏｒ  Ｄｉｓｔｏｒｔｉｏｎｓ  ｉｎ  ａ  Ｌａｓｅｒ  Ｐｒｏｊｅｃｔｉｏｎ  Ｄｉｓｐｌａｙ；およびＤｍｉｔｒｉｙ  Ｙａｖｉｄら、Ｍｅｔｈｏｄ  ａｎｄ  Ａｐｐａｒａｔｕｓ  ｆｏｒ  Ｃｏｎｔｒｏｌｌａｂｌｙ  Ｍｏｄｕｌａｔｉｎｇ  ａ  Ｌａｓｅｒ  ｉｎ  ａ  Ｌａｓｅｒ  Ｐｒｏｊｅｃｔｉｏｎ  Ｄｉｓｐｌａｙ）。
【０００９】
ここで図面を見て、特に図１を参照すると、レーザー投影ディスプレイ（ＬＰＤ）１００の様式的なブロック図が、本発明の一実施形態に従って示される。例示された実施形態において、このＬＰＤ１００は、３つのレーザー（１０２、１０４、１０６）を備え、このレーザーの各々は、特有の色（例えば、赤色、緑色、または青色）からなる光線（１０８、１１０，１１２）を放射し得る。当業者は、レーザーの数およびそれから放射される光の色が、本発明の精神および範囲を逸脱することなく多岐にわたり得ることを理解する。
【００１０】
本発明の一実施形態において、レーザー（１０２、１０４、１０６）は、第一のスキャニングデバイス（例えば、第一のスキャニングミラー１１８）上の実質的に共通の位置１１６にあたるように、互いに対して角度をつけて方向付けられている状態で、共通の平面上１１４に配置され得る。光線（１０８、１１０、１１２）が、その共通の位置から、光線（１２０，１２２、１２４）として反射される。本発明の他の実施形態において、レーザー（１０２、１０４、１０６）は、共通の平面上に配置される必要はないが、むしろ第一のスキャニングミラー１１８の回転軸に対して少なくとも２次元で角度をつけて配置され得る。平面１１４からの偏向は、以下の記載されるように、レーザー（１０２、１０４、１０６）のタイミングを制御することによって補正され得る。
【００１１】
例示的な実施形態において、第一のスキャニングミラー１１８は、比較的高い速度（約２０〜３０ＫＨｚ）で軸１２０上で振動する。第一のスキャニングミラー１１８の回転または振動は、光線（１０８，１１０、１１２）を移動させる。つまり、第一のスキャンニングミラー１１８の角度位置が変わるにつれて、第一のスキャニングミラー１１８からの光線（１２０、１２２、１２４）の反射角も変わる。従って、このミラーが振動するにつれて、反射された光線（１２０、１２２、１２４）は、２次元ディスプレイの１つの構成要素に沿ってこの光線（１２０、１２２、１２４）の動きを生じるためにスキャンされる。
【００１２】
２次元ディスプレイの第２の構成要素は、第２のスキャニングデバイス（例えば、ミラー１２６）によって生成される。例示された実施形態において、第２のミラー１２６は、回転軸についての回転の動きまたは振動の動きを生成するように（すなわち、第１のミラー１１８の回転軸に対して実質的に直交するように）、モーター１２８と回転軸１３０で連結される。光線（１２０，１２２，１２４）は、光線（１３２、１３４、１３６）として第２のミラー（１２６）に反射され、そして、表示面１３８に方向付けられる。表示面１３８は、本発明の精神および範囲を逸脱することなく種々の形態のうちのいずれかの形態をとり得る。例えば、表示面１３８は、固定されたスクリーンであり得る。このスクリーンは、レーザー（１０２、１０４、１０６）によって照らされた前部または後部であり得、そして、ＬＰＤ１００では普通、ハウジング（図示せず）内に収容され得るか、あるいは、表示面１３８は、ＬＰＤ１００から間隔を空けた任意の便利で一般的な平面形態（例えば、壁、スクリーン）をとり得る。
【００１３】
第２のミラー１２６は、第１のミラー１１８の速度と比べると、比較的緩徐な速度（例えば、約６０ｈｚ）で振動または回転する。従って、図２に示されるように、光線（１３２、１３４、１３６）が一般に表示面１３８上の経路１４０に沿って進むことが理解される。当業者は、経路１４０が陰極線管テレビおよびコンピューターモニターに一般的に利用されるラスタースキャンの形状および概念が類似していることを理解する。
【００１４】
本発明が、別々の第１のスキャニングミラー１１８および第２のスキャニングミラー１２６を利用する実施形態に照らして本明細書中で記載されるが、当業者は、類似の経路１４０が単一のミラーを用いて生成されることを理解する。この単一のミラーは、２つの回転軸を動き回ることが可能であり、直行軸に沿って、迅速な振動運動および緩徐な振動運動を提供する。
【００１５】
図１において明らかなように、レーザー（１０２、１０４、１０６）の角度をつけた位置決めに起因して、同じ平面１１４内の同じ点（ミラー１１８上の回転軸１２０上の点）に、光線（１０８、１１０、１１２）を送達するために、レーザー（１０２、１０４、１０６）が、力学的かつ光学的に並べられているが、それぞれ異なる反射角を有するので、光線（１２０、１２２、１２４）の分岐を生じる。コントローラ１４２は、レーザー（１０２、１０４、１０６）を制御可能に励起することを提供して、光線（１２０、１２２、１２４）効率的に同一線上にさせ、その結果、それらは、第２のミラー１２６から反射され得、そして、表示面１３８（第２のミラー１２６から比較的独立して距離を置いた表示面１３８）上の同じ点に送達される。
【００１６】
ここで、図３Ａおよび図３Ｂを見ると、光線（１２０、１２２、１２４）を同一線上にするコントローラ１４２の操作が議論される。議論を単純化するために、２つのレーザー（１０２、１０４）のみが図３に図示されるが、当業者は、本明細書中に議論される概念が本発明の精神および範囲を逸脱することなしに３つ以上のレーザーまで拡張し得ることを理解する。図３Ａに示されるように、レーザー（１０２、１０４）が、同時に励起される場合、反射された光線（１２０、１２２）が分岐する。しかしながら、図３Ｂに示されるように、レーザー（１０２、１０４）がわずかに異なる時間で励起される場合、光線（１２０、１２２）を１つの共通経路（すなわち、光線（１２０、１２２）は同一線上）に従わせ得る。例えば、レーザー１０２が第１の時間ｔ１で励起される場合、ミラー１１８は、第１の位置をとり（実線で表される）、そして、光線１０８は、光線１２０としてミラー１１８から反射される。引き続いて、レーザー１０４が第２の時間ｔ２で励起される場合、次いで、ミラー１１８は、第２の位置をとり（点線で表される）、そして、光線１１０は、光線１２２としてミラー１１８から反射される。時間ｔ２の正確な制御によって、ミラー１１８は、実施的に同じ経路に沿って光線１２０として光線１２２を正確に反射するための位置をとる。
【００１７】
従って、コントローラ１４２の操作を通じて、光線（１２０、１２２）は、実質的に同一線上であるが、時間的にわずかに変動される。すなわち、ここで、光線（１２０、１２２）の両方が、表示面１３８上の実質的に同じ点に投射されるが、わずかに時間が異なる。しかしながら、ヒトの眼の持続性に起因して、タイミングの変化は感知されない。すなわち、図１に記載される３つのレーザーシステムの場合、レーザー（１０２、１０４、１０６）の各々は、特有の色のレーザー光および表示面１３２上の実質的に同じ点に対する強度を、比較的短い時間内で制御可能に送達する。ヒトの眼は、この個々の３色を感知しないが、一定かつ所望の色相が表示面上の点で現れるような３つの光ビームを配合した色をむしろ感知する。当業者は、このプロセスが表示面１３２上の画像を再現するために経路１４０に沿って何度も繰り替えされ得ることを理解する。
【００１８】
類似の概念が、レーザー（１０２、１０４、１０６）が同じ平面１１４上に位置されない代替的な実施形態において生じる分岐の補正に使用され得る。この実施形態において、各々のレーザーによって生成される最終的に表示面に到達するレーザー光は、互いに対して垂直に置換され得る。コントローラ１４２は、垂直置換が上向きかまたは下向きかどうかに依存して、表示面上の水平スキャンの前または後のオフセットレーザーを励起することによって、この垂直置換を補正し得る。例えば、第２の光線は、上の第１の光線と垂直に置換される。従って、表示面上の第１の水平スキャンに関して、第２の光線と関連するレーザーが、励起される。先の水平スキャンより垂直的に低い、表示面上の水平スキャンの後に、第１の光線と関連するレーザーは、両方の光線が表示面上の同じ垂直位置に到達するが、時間がわずかに異なるように励起される。
【００１９】
図１に戻ると、光検知器１４４は、表示面１３８から反射されたレーザー光の受容するように並べられる。光検知器１４４は、グリッド中に配列される１つの感光性要素または複数の感光性要素を含む種々の任意の形態をとり得る。一部の実施形態において、光検知器１４４上に反射されたレーザー光を集中させる力学的／光学的システム１４６を備えることが有用であり得る。
【００２０】
光検知器１４４は、ライン１４８を介してコントローラ１４２と結合される。光検出器１４４によって検出される反射されたレーザー光の規模を示す信号が、ライン１４８を通ってコントローラ１４２と通信し得る。いくつかの場合において、例えば、光感知器１４４が感光性要素のグリッドまたはアレイから構成される場合、反射されたレーザー光の位置に関しての情報を伝達することもまた有用であり得る。図４と合わせて詳細に議論されるように、コントローラ１４２は、レーザー伝送経路内の状態が変化したかどうか（例えば、ヒトまたは物体で妨害されることによってか、または表示面が変質していることによる変化）を判断するために、通常、反射されたレーザー光の規模に関する情報を使用し得る。このような事象が検知される場合、レーザーの操作は、例えば、それらから送達されたパワーを実質的に低減することによってか、またはそれらのパワーを遮断することによって、修正され得る。
【００２１】
ここで、図４に戻ると、コントローラ１４２において使用され得る制御ルーチン４００の一実施形態が、図示される。このルーチンは、反射されたレーザー光の実際の規模を決定するために光検知器１４４から受信される信号を使用して、コントローラ１４２でブロック４０１から始める。ブロック４０２において、コントローラは、反射されたレーザー光の予測された規模を決定する。すなわち、コントローラ１４２は、表示面へレーザーを送達するために必要なパワー量を「認識している」。したがって、アルゴリズム、参照テーブルなどに基づいて、コントローラは、光検知器１４４に受容されるべきと望まれる、反射されたレーザー光の規模に到達し得る。コントローラ１４２は、光学的伝送経路内で変動が生じたかどうかを決定するために、予測された規模を使用し得る。実際に反射されたレーザー光の規模が、予測された反射レーザー光と実質的に一致する場合、操作は修正なしで続けられる。一方で、実際に反射されたレーザー光が、予測された反射レーザー光と実質的に異なる場合、ブロック４０３で決定されるように、コントローラ１４２は、（例えば、レーザーから伝達されたパワー量を低減することによって）レーザーのパワーを制御することを（ブロック４０４で）指示され得る。レーザー光がヒトまたは物体によって妨害される場合、反射されて光検知器１４４に戻ったレーザー光の量が、実質的に異なり得る。いくつかの場合において、反射されて光検知器１４４に戻った実際のレーザー光は、実質的に低減され得るが、しかしながら、他の環境においては、反射されて光検知器１４４に戻った実際のレーザー光は、実質的に増加され得る。いずれの場合にも、コントローラ１４２は、レーザーからのパワーを低減するか、またはいくつかの場合においてはそれらを遮断することを決める。
【００２２】
任意の種々の動作は、実際に反射されたレーザー光における実質的な変動の検出に応じてコントローラ１４２によって行われ得る。例えば、コントローラ１４２は、全体の表示面上の３つレーザーに全てについてのパワーを、低減するかまたはさらには排除することを選択し得る。代わりに、コントローラ１４２は、反射率における変動が検出される領域のみにおいて、低減するかまたは排除するようプログラム化され得る。さらに、コントローラ１４２は、反射率における変動が検出される領域を囲むさらなる緩衝領域に加えて、反射率が検出されえる領域におけるパワーを低減するかまたは排除するようプログラム化され得る。
【００２３】
一部の実施形態において、少なくともいくらかのパワーをレーザーへ供給し続け、その結果、それらがエラーメッセージを表示するために使用され得ることが、有用であり得る。エラーメッセージは、どのようにＬＰＤに対する標準的な操作をリセットするかまたは元に戻すかという情報を含み得る。例えば、「ディスプレイを適切な操作のために均一なバックグラウンドに向けて下さい」といったメッセージを表示し得る。
【００２４】
反射されたレーザー光の予測された規模を検定するためのコントローラ１４２について（図４のブロック４０２に関して上で議論されたように）、ＬＰＤを初めて作動させる場合に較正プロセスを実施することが有用であり得る。コントローラ１４２によって実施され得る較正プロセス５００の一実施形態は、図５のフローチャートに示される。この較正プロセスは、短時間（例えば、少なくとも１回は画面１３８の少なくとも１つの実質的な部分をスキャンするのに十分な期間）でレーザーを回転するコントローラ１４２で、ブロック５０１から始める。この第１の較正スキャンは、比較的低パワーで作動するレーザーで達成され得る。コントローラ１４２は、少なくとも２タイプの有用な情報を示す、光検知器１４４からのフィードバック信号を受信する。第一に、コントローラ１４２は、任意の実質的な変動について光検出器１４４によって送達される信号を（ブロック５０２で）モニタリングすることによって、比較的均一な表示画面にＬＰＤが向けられているかどうかを決定し得る。実質的な変動が検出される場合、コントローラ１４２は、較正プロセスを（ブロック５０３で）中断し、例えば、「ディスプレイを適切な操作のために均一なバックグラウンドに向けて下さい」といったメッセージを表示し得る。
【００２５】
一方で、変動が十分に小さい場合、較正プロセスは続行され得る。ブロック５０４において、コントローラ１４２は、第１の較正通過における反射されたレーザー光の検出された規模に基づく、他のパワーレベルで反射されたレーザー光の予測された規模に関する情報を引き出し得る。例えば、コントローラは、転送されたパワーレベルの規模が反射されたレーザー光の規模と相関する式を導き得る。この関連性は、レーザー光の各々の色についての反射率における変動を説明しようと試みるより複雑なアルゴリズムのための、レーザー光の合計の平均のレートに基づく単純な数学的近似とは、異なり得る。あるいは、より実証的なアプローチが、異なるパワーレベルで更なるスキャンを実施することによって行われ得る。これらの更なるスキャンは、コントローラ１４２が反射されたレーザー光の予測された規模を見積もるために後でアクセスする一連の参照テーブル中に記録され得る。コントローラ１４２は、現在のレーザーの作動状態に最も厳密に一致するテーブルにアクセスし得るか、または、コントローラ１４２は、テーブル間を補間するためのアルゴリズムを含み得る。
【００２６】
他に特に述べられない限り、または、議論から明らかなように、例えば、「処理すること」または「コンピュータで処理すること」または「計算すること」または「判断すること」または「表示すること」などの用語とは、データ（コンピュータシステムのレジスターおよびメモリ内の物理的電子量として表される）を操作して他のデータ（同様に、コンピュータシステムのメモリもしくはレジスター、または他のこのような情報の記憶デバイス、伝達デバイス、または表示デバイス）へと変換するコンピュータシステム（または類似の電子コンピュータデバイス内の物理的量として表される）の動作およびプロセスをいう。
【００２７】
当業者は、本明細書中の種々の実施形態において例示される種々のシステムのレイヤ、ルーチン、またはモジュールが、制御ユニットを実行可能であり得ることを理解する。この制御ユニットとしては、マイクロプロセッサ、マイクロコントローラ、デジタル信号プロセッサ、プロセッサカード（１つ以上のマイクロプロセッサまたはコントローラを含む）、または他の制御デバイスもしくはコンピュータデバイスが挙げられ得る。本議論において称される上記記憶デバイスとしては、データおよび命令を保存するための１つ以上の機械で読み出し可能な記憶媒体が挙げられ得る。この記憶媒体としては、半導体メモリデバイス（例えば、ダイナミックランダムアクセスメモリまたはスタティックランダムアクセスメモリ（ＤＲＡＭまたはＳＲＡＭ）、消去可能かつプログラム化可能な読み出し専用メモリ（ＥＰＲＯＭ）、電気的消去可能かつプログラム化可能な読み出し専用メモリ（ＥＥＰＲＯＭ）およびフラッシュメモリ）を含むメモリ；磁気ディスク（例えば、固定ディスク、フロッピー（登録商標）ディスク、リムーバルディスク）；テープを含む他の磁気媒体；ならびに、光ディスク（例えば、コンパクトディスク（ＣＤ）、またはデジタルビデオディスク（ＤＶＤ））が挙げられ得る。種々のシステムにおける種々のソフトウェアのレイヤ、ルーチン、またはモジュールを構成する命令は、各々の記憶デバイス中に保存され得る。この命令は、上記制御ユニットによって実行される場合に、（対応するシステムに）プログラム化された動作を実行させる。
【００２８】
上に開示された特定の実施形態は、例示のみである。なぜなら、本発明は、異なって改変され得かつ実施され得るが、同等の方法が、本明細書中の教示の利益を有する当業者にとって明らかである。さらに、上の特許請求の範囲において記載されるものとは違って、本明細書中に示される構成および設計の詳細に対して、制限は意図されていない。したがって、この方法、システム、ならびにそれらの部分および上述の方法およびシステムの部分が、異なる位置（例えば、ワイヤレスユニット、基地局、基地局コントローラおよび／またはモバイル交換局）で実施され得る。さらに、上述のシステムを実施または使用するために必要とされる処理回路は、特異用途向け集積回路、ソフトウェア主導処理回路、ファームウェア、プログラム可能論理回路、ハードウェア、個別部品、または上述の部品の配置において実施され得る。したがって、上に開示された特定の実施形態が、変更は改変され得、そして、このような全ての変動は、本発明の範囲と精神内であるとみなされる。したがって、本明細書中において求められた保護は、上の特許請求の範囲に記載される。
【図面の簡単な説明】
【００２９】
【図１】図１は、本発明の一実施形態を上から見た様式的なブロック図である。
【図２】図２は、図１に示される表示面の様式的な図である。
【図３Ａ】図３Ａは、スキャニングデバイスの操作中の種々の時間におけるそのスキャニングデバイスの平面図を示す。
【図３Ｂ】図３Ｂは、スキャニングデバイスの操作中の種々の時間におけるそのスキャニングデバイスの平面図を示す。
【図４】図４は、図１に示されるコントローラによって実行され得る制御プログラムの一実施形態のフローチャートを示す。
【図５】図５は、図１に示されるコントローラによって実行され得る較正ルーチンの一実施形態のフローチャートを示す。
【図１】
2007517469.tif 000003
【図２】
2007517469.tif 000004
【図３Ａ】
2007517469.tif 000005
【図３Ｂ】
2007517469.tif 000006
【図４】
2007517469.tif 000007
【図５】
2007517469.tif 000008
【国際調査報告】
2007517469.tif 000009
2007517469.tif 000010
2007517469.tif 000011